(57)【要約】      （修正有）【課題】エンジンが最高回転数に達する前に雨水等を吸引でき、また、数時間の運転で遠心ファンを締結するボルトが破断しないようにした清掃機能付き舗装補修装置の提供。【解決手段】タンクと遠心ファンカバ−を一体化し、遠心ファン付きタンク７とし、遠心ファンの幅を大きくし、大型化した。大型化することで、遠心ファンにかかる負荷を軽減し、遠心ファンを締結するボルトが破断するのを防止する。【選択図】図５  
0003106057.tif 000002
【実用新案登録請求の範囲】
【請求項１】
ビブロプレ−ト（１）による転圧と清掃機能をあわせ持った、従来の清掃機能付き舗装補修装置（５）で、清掃機能の役割を果たす遠心ファン（２）の遠心ファンカバ−（４）とタンク（３）を一体化したもので、遠心ファン（２）を、この中に組み込むもの。清掃機能は、主に路面等のアスファルト等に発生した穴にたまった雨水等を吸引すること。
【考案の詳細な説明】
【技術分野】
【０００１】
本考案は、土木工事において路面等を締固めに使用する舗装補修装置（プレ−トコンパクタ）に係わり、特に、舗装補修装置の遠心ファン付きタンクに関する。
【背景技術】
【０００２】
以下、従来の一実施例につき、図１及び図２ないし図３及び図４を参照して説明する。まず、従来の清掃機能付き舗装補修装置５の全体構成を示す図１と図２において、ビブロプレ−ト（転圧板）１とエンジン６を主とした転圧機能部に、遠心ファン２を遠心ファンカバ−４で覆った部分と、吸引した雨水をためるタンク３の清掃機能部が、舗装補修装置に付属し構成されていた。但し、図１と図２は操作ハンドル２２を折り畳んだ状態を示す。    
【特許文献１】出願番号２００３−１４７１２９
【考案の開示】
【考案が解決しようとする課題】
【０００３】
従来の清掃機能付き舗装補修装置５では、エンジン６が最高回転数に達しないと雨水を吸引せず、吸引する水量は少量が多く、清掃機能の耐久性に問題があり、数時間の運転で遠心ファン２を締結するボルト８が破断することがあった。
【課題を解決するための手段】
【０００４】
このため本考案は、タンク３と遠心ファンカバ−４を一体化し、遠心ファン２を、この中に組み込むことを特徴とするもので、遠心ファン２の幅を大きくし、大型化した。よって、吸水量が増大し、遠心ファン２にかかる負荷を減らしたもので、これが課題を解決するものである。
【考案の効果】
【０００５】
以上の説明から明らかなように、本考案によれば、次のような効果を得ることができる。エンジンが最高回転数に達する前に、雨水等を吸引でき、吸水量も大きく増したので、吸水完了までの時間も短縮できた。これは、遠心ファンカバ−４がタンク３と一体となったことで、機密性を高めることができたのと、遠心ファン２を大型化したことによる。また、
遠心ファンカバ−４がタンク３と一体となったことで、従来の清掃機能付き舗装補修装置５の幅より小さくすることが出来た。更に、エンジンを最高回転数で運転する時間が大幅に減少したため、遠心ファン２にかかる負荷を減らせたので、遠心ファン２を締結するボルト８が、数時間の運転で破断することが見られなくなり、耐久性が向上した。
【考案を実施するための最良の形態】
【０００６】
以下、本考案の一実施例につき、図５ないし図６を参照して説明する。まず、清掃機能付き舗装補修装置９の全体構成を示す図５と図６において、ビブロプレ−ト１とエンジン６を主とした転圧機能部に、タンク３と遠心ファンカバ−４を一体化させた、遠心ファン付きタンク７を付属させた清掃機能部を示す。但し、図５と図６は操作ハンドル２２を折り畳んだ状態を示す。
【実施例１】
【０００７】
本考案は、上記した実施例にのみ限定されるものではなく、図５の遠心ファン付きタンク７のドレン口１０は、吸引した雨水等を排出できる。以下、図７ないし図８を参照して遠心ファン付きタンク７を説明する。吸水は、吸引ホ−ス接続口１１に吸引ホ−ス２１を接続するもので、ふた１５は枠１２にネジ１３又はボルト等で締められ、雨水をためるタンク部分１９と遠心ファン２が装着された部分は、仕切り１６で区切られている。吸水した雨水は、通水口１４を通ってタンク部分１９にためられ、外気通気口１７で空気圧などを調整している。更に、図３の遠心ファンの羽根１８は、８枚に限定されるものではない。
【実施例２】
【０００８】
ふた１５の締め方は、ねじ１３止め等に限定されるものではなく、図９に示すようにパッチン２０で締めることもでき、この方法は枠１２が不要となる。
【実施例３】
【０００９】
遠心ファン付きタンク７の仕切り１６による区切り方は、図８の区切り方に限定されるものではなく、図１０のように区切ることもできる。なお、エンジン回転数はスロットルレバ−２３で調整でき、スロットルレバ−２３とエンジン６をスロットルワイヤ−２５で連結するものである。又、クラッチレバ−２４を操作することで、転圧時と清掃時を切り替える。これはクラッチレバ−２４とクラッチ２７をクラッチワイヤ−２６で連結して行うことが出来る。
【図面の簡単な説明】
【００１０】
【図１】従来機の一実施例を示す清掃機能付き舗装補修装置の斜視図。
【図２】従来機の一実施例を示す清掃機能付き舗装補修装置の側面図。
【図３】遠心ファンの正面図。
【図４】遠心ファンのＡ−Ａ断面図。
【図５】本考案の一実施例を示す清掃機能付き舗装補修装置の斜視図。
【図６】本考案の一実施例を示す清掃機能付き舗装補修装置の側面図。
【図７】遠心ファン付きタンクの正面図。
【図８】遠心ファン付きタンクのＢ−Ｂ断面図１。
【図９】パッチンの斜視図。
【図１０】遠心ファン付きタンクのＢ−Ｂ断面図２。
【図１１】吸引ホ−スの正面図。
【符号の説明】
【００１１】
１  ビブロプレ−ト
２  遠心ファン
３  タンク
４  遠心ファンカバ−
５  従来の清掃機能付き舗装補修装置
６  エンジン
７  遠心ファン付きタンク
８  ボルト
９  清掃機能付き舗装補修装置
１０  ドレン口
１１  吸引ホ−ス接続口
１２  枠
１３  ネジ
１４  通水口
１５  ふた
１６  仕切り
１７  外気通気口
１８  遠心ファンの羽根
１９  タンク部分
２０  パッチン
２１  吸引ホ−ス
２２  操作ハンドル
２３  スロットルレバ−
２４  クラッチレバ−
２５  スロットルワイヤ−
２６  クラッチワイヤ−
２７  クラッチ
【図１】
0003106057.tif 000003
【図２】
0003106057.tif 000004
【図３】
0003106057.tif 000005
【図４】
0003106057.tif 000006
【図５】
0003106057.tif 000007
【図６】
0003106057.tif 000008
【図７】
0003106057.tif 000009
【図８】
0003106057.tif 000010
【図９】
0003106057.tif 000011
【図１０】
0003106057.tif 000012
【図１１】
0003106057.tif 000013
【手続補正書】
【提出日】平成16年8月10日(2004.8.10)
【手続補正１】
【補正対象書類名】実用新案登録請求の範囲
【補正対象項目名】請求項１
【補正方法】変更
【補正の内容】
【請求項１】
ビブロプレ−ト（１）による転圧と清掃機能をあわせ持った、清掃機能付き舗装補修装置（５）で、清掃機能の役割を果たす遠心ファン（２）の遠心ファンカバ−（４）とタンク（３）を一体化したもので、遠心ファン（２）を、この中に組み込む、清掃機能付き舗装補修装置の遠心ファン付きタンク。
【手続補正２】
【補正対象書類名】明細書
【補正対象項目名】０００１
【補正方法】変更
【補正の内容】
【０００１】
本考案は、土木工事において路面等を締固めに使用する舗装補修装置（プレ−トコンパクタ）に係わり、特に、清掃機能付き舗装補修装置の遠心ファン付きタンクに関する。
【手続補正３】
【補正対象書類名】明細書
【補正対象項目名】０００２
【補正方法】変更
【補正の内容】
【０００２】
以下、従来の一実施例につき、図１及び図２ないし、図３及び図４を参照して説明する。まず、清掃機能付き舗装補修装置５の全体構成を示す図１と図２において、ビブロプレ−ト（転圧板）１とエンジン６を主とした転圧機能部に、遠心ファン２を遠心ファンカバ−４で覆った部分と、吸引した雨水をためるタンク３の清掃機能部が、舗装補修装置に付属し構成されていた。但し、図１と図２は操作ハンドル２２を折り畳んだ状態を示す。なお、
清掃機能は、路面等のアスファルト等に発生した穴にたまった雨水等を吸引すること。
【特許文献１】出願番号２００３−１４７１２９
【手続補正４】
【補正対象書類名】明細書
【補正対象項目名】０００３
【補正方法】変更
【補正の内容】
【０００３】
清掃機能付き舗装補修装置５では、エンジン６が最高回転数に達しないと雨水を吸引せず、吸引する水量は少量が多く、清掃機能の耐久性に問題があり、数時間の運転で遠心ファン２を締結するボルト８が破断することがあった。
【手続補正５】
【補正対象書類名】明細書
【補正対象項目名】０００４
【補正方法】変更
【補正の内容】
【０００４】
このため本考案は、タンク３と遠心ファンカバ−４を一体化し、遠心ファン２を、この中に組み込むことを特徴とするもので、遠心ファン２の幅を大きくし、大型化した。よって、吸水量が増大し、遠心ファン２の単位面積あたりにかかる負荷を減らしたもので、これが課題を解決するものである。
【手続補正６】
【補正対象書類名】明細書
【補正対象項目名】０００５
【補正方法】変更
【補正の内容】
【０００５】
以上の説明から明らかなように、本考案によれば、次のような効果を得ることができる。エンジンが最高回転数に達する前に、雨水等を吸引でき、吸水量も大きく増したので、吸水完了までの時間も短縮できた。これは、遠心ファンカバ−４がタンク３と一体となったことで、機密性を高めることができたのと、遠心ファン２を大型化したことによる。また、
遠心ファンカバ−４がタンク３と一体となったことで、清掃機能付き舗装補修装置５の幅より小さくすることが出来た。更に、エンジンを最高回転数で運転する時間が大幅に減少したため、遠心ファン２にかかる負荷を減らせたので、遠心ファン２を締結するボルト８が、数時間の運転で破断することが見られなくなり、耐久性が向上した。
【手続補正７】
【補正対象書類名】明細書
【補正対象項目名】００１１
【補正方法】変更
【補正の内容】
【００１１】
１  ビブロプレ−ト
２  遠心ファン
３  タンク
４  遠心ファンカバ−
５  清掃機能付き舗装補修装置
６  エンジン
７  遠心ファン付きタンク
８  ボルト
９  清掃機能付き舗装補修装置
１０  ドレン口
１１  吸引ホ−ス接続口
１２  枠
１３  ネジ
１４  通水口
１５  ふた
１６  仕切り
１７  外気通気口
１８  遠心ファンの羽根
１９  タンク部分
２０  パッチン
２１  吸引ホ−ス
２２  操作ハンドル
２３  スロットルレバ−
２４  クラッチレバ−
２５  スロットルワイヤ−
２６  クラッチワイヤ−
２７  クラッチ
【手続補正８】
【補正対象書類名】図面
【補正対象項目名】図１
【補正方法】変更
【補正の内容】
【図１】
0003106057.tif 000014
【手続補正９】
【補正対象書類名】図面
【補正対象項目名】図９
【補正方法】変更
【補正の内容】
【図９】
0003106057.tif 000015